(57)【要約】【課題】カレンダとして利用した後に、ポケット部を切取線で切り取ることによりポケット部をクリアファイルとして利用可能なポケット付きカレンダを提供すること。【解決手段】カレンダ１は、表面に暦が表示された暦表示部４と、書類等の収納物を収納可能なポケット部５とを有する。ベースシート７に設けられた切取線Ｌ１に沿ってポケット部５を切り離すことによって、切り離されたポケット部５をクリアファイルＣＦとして利用することができる。【選択図】図１
2014133354.tif 000002
【特許請求の範囲】
【請求項１】
収納物を収納可能なポケット部を有するポケット付きカレンダであって、前記ポケット部を切り離すことによって、前記ポケット部をクリアファイルとして使用可能であることを特徴とするポケット付きカレンダ。
【請求項２】
ベースシートと、前記ベースシートに積層されたポケットシートとを備え、
前記ベースシートは、暦が表示された暦領域と、前記ポケットシートが積層されたポケット領域とを備え、前記ポケットシートと前記ベースシートの前記ポケット領域とにより前記ポケット部が構成され、
前記ベースシートには、前記ポケット領域の外縁に沿って第１の切取線が設けられ、前記ポケット部は、前記第１の切取線に沿って切り離されることにより前記クリアファイルを形成することを特徴とする請求項１に記載のポケット付きカレンダ。
【請求項３】
前記ベースシートの前記暦領域には、前記暦領域を複数の暦部に区画する第２の切取線が設けられ、前記複数の暦部の各々に異なる月の暦が表示され、前記複数の暦部は前記第２の切取線に沿って切り離し可能であることを特徴とする請求項２に記載のポケット付きカレンダ。
【請求項４】
前記ベースシートには、前記暦領域の外縁に沿って第３の切取線が設けられ、前記ベースシートの前記暦領域には、前記暦領域を複数の暦部に区画する折曲線が設けられ、前記暦領域は、前記第３の切取線に沿って切り離された後に前記折曲線で折り曲げられることにより、自立型の卓上カレンダを形成することを特徴とする請求項２に記載のポケット付きカレンダ。
【請求項５】
前記ポケット部が複数個設けられていることを特徴とする請求項１〜４の何れかに記載のポケット付きカレンダ。
【請求項６】
請求項１〜５の何れかに記載のポケット付きカレンダを複数枚積層させて構成されていることを特徴とするカレンダ。
【請求項７】
前記暦領域は、前記ポケットシートの外縁部よりも外方に延出する耳部を有し、前記耳部は、前記ポケット部が切り離された際に、前記クリアファイルのインデックス部を構成し、前記複数のポケット付きカレンダにおける前記耳部の各々が、前記ポケット付きカレンダの積層方向において互いに偏倚していることを特徴とする請求項６に記載のカレンダ。
【発明の詳細な説明】
【技術分野】
【０００１】
本発明は、ポケット部を切り離すことによりクリアファイルとして利用可能なカレンダに関する。
【背景技術】
【０００２】
従来より、ポケット付きカレンダが種々提案されており、このようなカレンダにおいては、そのポケット部に領収書や各種チケット等を収納容可能とされている（例えば、特許文献１参照）。
【先行技術文献】
【特許文献】
【０００３】
【特許文献１】特許第２００２−４６３６９４号公報
【発明の概要】
【発明が解決しようとする課題】
【０００４】
しかしながら、従来のポケット付きカレンダは、カレンダとして利用された後は再利用されず、廃棄されていた。
【０００５】
本発明の目的は、カレンダとして利用した後にポケット部を切り取ることによって、ポケット部をクリアファイルとして利用可能なポケット付きカレンダを提供することである。
【課題を解決するための手段】
【０００６】
本発明の請求項１に記載のポケット付きカレンダは、収納物を収納可能なポケット部を有するポケット付きカレンダであって、前記ポケット部を切り離すことによって前記ポケット部をクリアファイルとして使用可能であることを特徴とする。
【０００７】
本発明の請求項２に記載のポケット付きカレンダは、ベースシートと、前記ベースシートに積層されたポケットシートとを備え、前記ベースシートは、暦が表示された暦領域と、前記ポケットシートが積層されたポケット領域とを備え、前記ポケットシートと前記ベースシートの前記ポケット領域とにより前記ポケット部が構成され、前記ベースシートには、前記ポケット領域の外縁に沿って第１の切取線が設けられ、前記ポケット部は、前記第１の切取線に沿って切り離されることにより前記クリアファイルを形成することを特徴とする。
【０００８】
本発明の請求項３に記載のポケット付きカレンダは、前記ベースシートの前記暦領域には、前記暦領域を複数の暦部に区画する第２の切取線が設けられ、前記複数の暦部の各々に異なる月の暦が表示され、前記複数の暦部は前記第２の切取線に沿って切り離し可能であることを特徴とする。
【０００９】
本発明の請求項４に記載のポケット付きカレンダは、前記ベースシートには、前記暦領域の外縁に沿って第３の切取線が設けられ、前記ベースシートの前記暦領域には、前記暦領域を複数の暦部に区画する折曲線が設けられ、前記暦領域は、前記第３の切取線に沿って切り離された後に前記折曲線で折り曲げられることにより、自立型の卓上カレンダを形成することを特徴とする。
【００１０】
本発明の請求項５に記載のポケット付きカレンダは、前記ポケット部が複数個設けられていることを特徴とする。
本発明の請求項６に記載のカレンダは、請求項１〜５の何れかに記載のポケット付きカレンダを複数枚積層させて構成されていることを特徴とする。
【００１１】
本発明の請求項７に記載のカレンダは、前記暦領域は、前記ポケットシートの外縁部よりも外方に延出する耳部を有し、前記耳部は、前記ポケット部が切り離された際に、前記クリアファイルのインデックス部を構成し、前記複数のポケット付きカレンダにおける前記耳部の各々が、前記ポケット付きカレンダの積層方向において互いに偏倚していることを特徴とする。
【発明の効果】
【００１２】
本発明の請求項１に記載のポケット付きカレンダによれば、切り離されたポケット部をクリアファイルとして使用できるので、カレンダとしての使用が終了した後においても、ポケット部をクリアファイルとして有効活用することができる。また、ポケット部に収納された収納物ごとクリアファイルとして保管できるため、ポケット付きカレンダの使用後においても、収納物をわざわざポケット部から取り出す必要がなく、収納物の保管・整理を容易にできる。
【００１３】
本発明の請求項２に記載のポケット付きカレンダによれば、ベースシートに第１の切取線が設けられているので、この第１の切取線に沿ってポケット部を切り離すことができ、ポケット部の切り離し作業を容易にできる。
【００１４】
本発明の請求項３に記載のポケット付きカレンダによれば、暦部を切り離すことができるので、切り離された暦部を独立した暦片として利用することができ、使用者は好みに応じた複数の形態でポケット付きカレンダを利用することができる。
【００１５】
本発明の請求項４に記載のポケット付きカレンダによれば、ポケット付きカレンダから切り離された暦領域を折り曲げることで、暦領域を自立型の卓上カレンダとして利用することがでるので、使用者は好みに応じた複数の形態でポケット付きカレンダを利用することができる。
【００１６】
本発明の請求項５に記載のポケット付きカレンダによれば、ポケット部が複数個設けられているので、より多くの収納物を収納させることができる。
また、本発明の請求項６に記載のカレンダによれば、請求項１〜５の何れかに記載のポケット付きカレンダを複数枚積層させて構成されているので、上述したのと同様の効果を得ることができる。
【００１７】
本発明の請求項７に記載のカレンダによれば、クリアファイルのインデックス部を構成する耳部の各々が、ポケット付きカレンダの積層方向において互いに偏倚しているので、切り離された複数枚のクリアファイルを積層させた際に、インデックス部が重ならず、インデックス部を見やすくできる。
【図面の簡単な説明】
【００１８】
【図１】本発明の第１実施形態に係るカレンダを示す図であって、（ａ）は平面図、（ｂ）は背面図。
【図２】図１に示すカレンダからポケット部を切り離した様子を示す図。
【図３】図１に示すカレンダを構成する樹脂シートを示す平面図。
【図４】本発明の第２実施形態に係るカレンダを示す平面図。
【図５】図４に示すカレンダを構成する樹脂シートを示す平面図であって、（ａ）は１枚目の樹脂シート、（ｂ）は２枚目の樹脂シート、（ｃ）は３枚目の樹脂シート、（ｄ）は４枚目の樹脂シートを示す平面図。
【図６】本発明の第３実施形態に係るカレンダを示す概略図であって、（ａ）は平面図、（ｂ）は背面図。
【図７】本発明の第４実施形態に係るカレンダを示す概略図であって、（ａ）は平面図、（ｂ）は背面図。
【図８】図７に示すカレンダからポケット部を切り離して得られたクリアファイルを示す平面図。
【図９】図７に示すカレンダから暦部を切り離して組み立てられた卓上カレンダを示す斜視図。
【図１０】本発明の第５実施形態に係るカレンダを示す平面図。
【図１１】本発明の第６実施形態に係るカレンダを示す概略図であって、（ａ）は平面図、（ｂ）は背面図。
【発明を実施するための形態】
【００１９】
［第１実施形態］
以下、添付図面を参照して、本発明に従うカレンダの第１実施形態について説明する。
【００２０】
図１に示すカレンダ１は、１枚のポケット付きカレンダ２から構成され、その上端部には左右一対の壁掛け孔３が設けられている。ポケット付きカレンダ２の片側（図１の例では右側）は、表面に暦が表示された暦表示部４を構成し、他側（図１の例では左側）にはポケット部５が設けられている。ポケット部５は、左辺５ａ及び底辺５ｂが閉じた状態とされる一方、上辺５ｃ及び右辺５ｄは開口しており、ここから書類等の収納物を収納することができる。また、ポケット部５の右辺５ｄの上端側には平面視円弧状の切欠部５ｅが形成されている。
【００２１】
このポケット付きカレンダ２には、ポケット部５の上辺５ｃ及び右辺５ｄに沿ってミシン目等の切取線（第１の切取線）Ｌ１が形成されており、切取線Ｌ１で切り取ることにより、ポケット部５を独立したクリアファイルＣＦとして利用することができる（図２参照）。  
ポケット付きカレンダ２は、例えば図３に示す１枚の樹脂シート６から製作される。この樹脂シート６には予め所定の暦が印刷されるとともに、その表面には筆記ニスが印刷等により塗布されている。このように樹脂シートの表面に筆記ニスを塗布することにより、暦印刷を保護できると共に、カレンダ１の表面への筆記特性を向上させることができ、鉛筆やボールペン等の筆記具を用いたカレンダ１への書き込みが可能になる。
【００２２】
樹脂シート６は、略矩形状のベースシート７と、ベースシート７の左側に延設されたポケットシート８と、ベースシート７の上側に延設された補強シート９とからなる。ベースシート７は、暦領域７Ａとポケット領域７Ｂとを有し、暦領域７Ａは上述した暦表示部４を構成する。また、ベースシート７には、ポケット領域７Ｂの外縁に沿って上述した切取線Ｌ１が設けられている。ポケットシート８は一点鎖線Ａ１に沿って折り返されてベースシート７のポケット領域７Ｂに重ね合わされ、ポケットシート８の下端部とベースシート７の下端部とが溶着され、これにより上述したポケット部８が形成される。なお、ポケットシート８とベースシート７との溶着箇所を図１に矢印Ｘで示す。
【００２３】
このように、ポケット部５は、ポケットシート８と、ポケットシート８が積層されたベースシート７のポケット領域７Ｂと、により構成され、ベースシート７に形成された切取線Ｌ１に沿ってポケット部５を切り離し可能に構成されている。
【００２４】
また、ベースシート７の上端部と補強シート９の下端部には、それぞれ一対の貫通孔３ａ,３ｂが形成されている。補強シート９を一点鎖線Ａ２に沿って折り返すと、補強シート９の貫通孔３ａ，３ｂがベースシート７の貫通孔３ａ,３ｂと重なって、上述した一対の壁掛け孔３,３を構成する。この状態で補強シート９の自由端部とベースシート７とを溶着させると、上述したポケット付きカレンダ２が完成する。なお、補強シート９とベースシート７との溶着箇所を図１に矢印Ｙで示す。
【００２５】
このように、本実施形態におけるカレンダ１はポケット部５を備えているので、書類等をポケット部５に収納して保管することができる。また、カレンダとしての役割を終えた後には、ポケット部５を切取線Ｌ１で切り離すことにより、ポケット部５を独立したクリアファイルＣＦとして利用することができ、ポケット部５を有効利用することができる。また、ポケット部５を切り離す際にも、ポケット部５から収納物を取り除く必要がなく、収納物が収納された状態のままポケット部５を切り離して保管できるため、書類等の管理・保管を容易にできる。更に、カレンダ１は筆記ニスが塗布された樹脂シート６から製作されるので、カレンダ１へスケジュール等を書き込むこともできる。
［第２実施形態］
次に、本発明に従うカレンダの第２実施形態について説明する。なお、本実施形態において、上述した第１実施形態の構成要素と実質上同一の構成要素には同一の符号を付してその説明を省略する。
【００２６】
図４に示すカレンダ１Ａは、上述したカレンダ１と略同一の構成を有するが、カレンダ１は１枚のポケット付きカレンダ２から構成されているのに対し、本実施形態におけるカレンダ１Ａは複数のポケット付きカレンダ２から構成されている点で異なる。
【００２７】
より具体的に、カレンダ１Ａは、互いに積層された複数枚（図４の例では４枚）のポケット付きカレンダ２を備えた月めくりカレンダとして構成されている。これらポケット付きカレンダ２の各々の片側（図４の例では右側）は、表面に複数月（図４の例では３ヶ月）分の暦が表示された暦表示部４を構成し、他側（図４の例では左側）にはポケット部５が設けられている。ポケット部５は、切取線Ｌ１で切り離すことにより、独立したクリアファイルとして利用することができる。これら４枚のポケット付きカレンダ２は、矢印Ｙで示される領域にて互いに溶着されて一体化されると共に、各ポケット付きカレンダ２における溶着箇所の下方位置にはミシン目等の切取線Ｌ２が設けられている。
【００２８】
よって、本実施形態においては、切取線Ｌ２に沿って切り離すことにより、上側のポケット付きカレンダ２を切り離し、下側のポケット付きカレンダ２を表出させることができ、これによってカレンダ１Ａを月めくりカレンダとして用いることができる。また、切り取られたポケット付きカレンダ２については、切取線Ｌ１に沿ってポケット部５を切り離すことにより、ポケット部５を独立したクリアファイルとして利用することができる。
【００２９】
カレンダ１Ａは、例えば図５に示す４枚の樹脂シート１６１,１６２,１６３，１６４から製作される。これらの樹脂シート１６１〜１６４には、上述した樹脂シート６と同様に、予め所定の暦が印刷されるとともに、その表面には筆記ニスが印刷等により塗布されている。１枚目〜３枚目の樹脂シート１６１〜１６３は、１枚目〜３枚目のポケット付きカレンダ２をそれぞれ形成するものであって、同一形状を有し、それぞれ略矩形状のベースシート１７と、ベースシート１７の左側に延設されたポケットシート８と、を有する。このベースシート７は、上述した切取線Ｌ２が設けられている点を除き、図３に示す第１実施形態におけるベースシート７と同一の構成を有するので、詳細な説明は省略する。一方、４枚目の樹脂シート１６４は、４枚目のポケット付きカレンダ２を形成するものであって、ベースシート１７と、ベースシート１７の左側に延設されたポケットシート８と、べースシート１７の上側に延設された補強シート９とからなる。換言すると、この樹脂シート１６４は、切取線Ｌ２が設けられている点を除き、図３に示す第１実施形態における樹脂シート６と同一の構成を有する。
【００３０】
図５に示す樹脂シート１６１〜１６４からカレンダ１Ａを製作するには、まず、各ポケットシート８を一点鎖線Ａ１に沿って折り返し、ポケットシート８とベースシート１７とを溶着してポケット部５を形成する。次に、樹脂シート１６４に１枚目〜３枚目の樹脂シート１６１〜１６３を順に重ね合わせる。樹脂シート１６４を一点鎖線Ａ２に沿って折り返してポケットシート１６１〜１６３の上端部位を挟み込み、この状態で切取線Ｌ２の上方位置にて樹脂シート１６１〜１６４を溶着させ、これにより上述したカレンダ１Ａが完成する。
［第３実施形態］
次に、本発明に従うカレンダの第３実施形態について説明する。本実施形態において、上述した第１及び第２実施形態の構成要素と実質上同一の構成要素には同一の符号を付してその説明を省略する。
【００３１】
図６に示すカレンダ１Ｂは、図５に示すカレンダ１Ａと略同一の構成を有するが、切取線Ｌ１，Ｌ２に加え、切取線Ｌ３,Ｌ４,Ｌ５が設けられている点で異なる。切取線Ｌ３及びＬ４（第２の切取線）は、切取線Ｌ１から暦表示部４を横切って水平方向に延び、これにより暦表示部４が上から順に３つの暦部４１，４２，４３に区画され、各暦部４１，４２，４３の各々に１ヶ月分の暦が表示されている。切取線Ｌ５は、切取線Ｌ１とＬ３とを繋ぐ横向きＴ字型に形成されている。
【００３２】
かかる構成により、本実施形態におけるカレンダ１Ｂにおいては、月が変わる毎に対応の暦部４１，４２を切り取ることにより、下側に隠れていた新たな月の暦を表出させることができる。例えば、１月が終わった場合には、１枚目のポケット付きカレンダ２における１月分の暦部４１を、切取線Ｌ１，Ｌ２，Ｌ３，Ｌ５に沿って切り離すことにより、下側に隠れていた４月分の暦を表出させることができる。同様に、２月が終わった場合には、１枚目のポケット付きカレンダ２における２月分の暦部４２を、切取線Ｌ１，Ｌ４に沿って切り離すことにより、下側に隠れていた５月分の暦を表出させることができる。更に、３月が終わった際には、切取線Ｌ２に沿ってポケット部５と共に暦部４３を切り離し、更に切取線Ｌ１に沿ってポケット部５を暦部４３から切り離すことにより、ポケット部５を独立したクリアファイルとして利用することができる。
［第４実施形態］
次に、本発明に従うカレンダの第４実施形態について説明する。本実施形態において、上述した第１〜第３実施形態の構成要素と実質上同一の構成要素には同一の符号を付してその説明を省略する。
【００３３】
図７に示すカレンダ１Ｃは、図４に示すカレンダ１Ａと略同一の構成を有するが、ポケット部５を切り離して得られたクリアファイルＣＦ３（図８参照）が、インデックスＩＤを有するように構成されている。即ち、ベースシート７には、切取線Ｌ１に代えて切取線Ｌ３１が設けられており、この切取線Ｌ３により、ベースシート７のポケット領域７Ｂは、図７（ａ）の状態においてポケットシート８の右辺８ａから外方（右方）に延出する耳部７Ｃを有するように規定されている。よって、ポケット部５を切取線Ｌ３１に沿って切り取ると、耳部７ＣがクリアファイルＣＬ３のインデックスＩＤを構成するようになる。
【００３４】
また、複数のポケット付きカレンダ２における各耳部７Ｃは、カレンダ１Ｃから切り離されて得られた４枚のクリアファイルＣＦ３を重ねた際に、それぞれのインデックスＩＤが重ならず、縦方向にずれて位置するよう、ポケット付きカレンダ２Ｃの積層方向において互いに偏倚した位置に設けられている。
【００３５】
また、各ポケット付きカレンダ２のベースシート７には、切取線Ｌ２から下方に延びる切取線（第３の切取線）Ｌ６が設けられており、切取線Ｌ２及びＬ６に沿って暦表示部４を切り離すことができるように構成されている。即ち、本実施形態においては、切取線Ｌ２及びＬ６が暦領域７Ａの外縁を規定する。暦表示部４の下端部には左右一対の略Ｕ字形の切込線Ｌ７が形成されており、これにより一対の耳部４ａが形成されている。カレンダ１Ｃから切り取られた暦表示部４は、図９に示す様に三角筒状となるように３本の折曲線Ｆで折り曲げられた後に、その上端４ｂを一対の耳部４ａに差し込むことにより、自立型の卓上カレンダ４Ａを形成する。なお、暦表示部４の折り曲げを容易にするため、各折曲線Ｆは例えばミシン目等から形成されるのが好ましい。
【００３６】
このように、本実施形態によれば、カレンダ１Ｃをそのままの形態で壁掛けカレンダとして用いることもできるし、暦表示部４を切り離して卓上カレンダ４Ａとして利用することもできる。また、ポケット部５を切り離して独立したクリアファイルＣＦ３として用いることができると共に、各クリアファイルＣＦ３には、それぞれ厚さ方向に重ならない位置にインデックスＩＤが設けられているので、クリアファイルＣＦ３を用いた書類等の整理を容易にできる。
［第５実施形態］
次に、本発明に従うカレンダの第５実施形態について説明する。本実施形態において、上述した第１〜第４実施形態の構成要素と実質上同一の構成要素には同一の符号を付してその説明を省略する。
【００３７】
図１０に示すカレンダ１Ｄは、図７に示すカレンダ１Ｃと同様に、切取線Ｌ３１に沿ってポケット部５を切り離すことによりインデックスＩＤ付きのクリアファイルＣＦ３（図８参照）として利用できると共に、切取線Ｌ２，Ｌ６に沿って暦表示部４を切り離すことができるように構成されている。しかしながら、カレンダ１Ｄは図７に示すカレンダ１Ｃと次の点において異なっている。即ち、カレンダ１Ｄは積層された複数枚（図１０の例では２枚）のポケット付きカレンダ２から構成され、各ポケット付きカレンダ２の暦表示部４には水平方向に延びる複数本（図１０の例では５本）の切取線Ｌ８〜Ｌ１２が設けられている。暦表示部４は、切取線Ｌ８〜Ｌ１２により複数個（図１０の例では６個）の暦部４１〜４６に区画され、暦部４１〜４６の各々には１ヶ月分の暦が表示されている。
【００３８】
このような構成により、例えば１月に対応する暦部４１を切取線Ｌ２，Ｌ６，Ｌ８に沿って切り離すと、切り離された暦部４１は短冊状の暦片を形成する。よって、利用者は、この暦片を本や手帳のしおり等として利用することができる。
【００３９】
このように、本実施形態によれば、カレンダ１Ｄは壁掛けカレンダとして利用できる他、暦部４１〜４６を切り離して月毎の暦片としても利用することができ、利用者の好みに応じた形態で利用することができる。
［第６実施形態］
次に、本発明に従うカレンダの第６実施形態について説明する。本実施形態において、上述した第１〜第５実施形態の構成要素と実質上同一の構成要素には同一の符号を付してその説明を省略する。
【００４０】
図１１に示すカレンダ１Ｅは、図１に示すカレンダ１と略同一の構成を有するが、暦表示部４とポケット部５の位置及びポケット部５の数がカレンダ１と異なっている。具体的に、カレンダ１Ｅは、その下方部位に暦表示部４が設けられ、暦表示部４の表面には１年分の暦が表示されている。また、暦表示部４の上方には左右一対のポケット部５が設けられ、これらのポケット部５は、対応する切取線Ｌ１で切り離されて、独立したクリアファイルとして利用できるようにされている。このように、本実施形態におけるカレンダ１Ｅにおいては、複数のポケット部５が設けられているので、より多くの収納物を収納することができる。
【００４１】
以上、本発明の実施形態に係るカレンダについて添付の図面を参照して説明したが、本発明はかかる実施形態に限定されず、本発明の範囲を逸脱することなく種々の変形乃至修正が可能である。
【００４２】
例えば、上記第２〜第４実施形態におけるカレンダ１Ａ〜１Ｄは、積層された４枚のポケット付きカレンダ２から構成され、各ポケット付きカレンダ２に３ヶ月分の暦を表示する構成としたが、２枚、３枚、６枚、或いは１２枚のポケット付きカレンダ２から構成されるものとし、各ポケット付きカレンダ２に６ヶ月、４ヶ月、２ヶ月、或いは１ヶ月分の暦を表示する構成としてもよい。同様に、上記第６実施形態におけるカレンダ１Ｅは、１枚のポケット付きカレンダから構成されているが、２枚以上のポケット付きカレンダから構成してもよい。
【００４３】
また、上記第１〜第４実施形態におけるポケット付きカレンダ２には１個のポケット部５が設けられているが、各ポケット付きカレンダに複数個のポケット部が設けられた構成としてもよい。
【００４４】
更に、上記第１及び第２実施形態に関連して、ポケット付きカレンダ２の製作方法について説明したが、本発明のポケット付きカレンダ２の製作方法は、かかる製作方法に限定されず、種々の方法により製作できる。たとえば、上記製作方法では、ベースシートとポケットシートとが一体的に形成された１枚の樹脂シートを折りたたんで製作したが、例えばベースシートとポケットシートとを別シートとして形成し、両者を積層させて溶着させてもよい。また、暦表示部とポケット部との相対位置関係も上述したものに限定されず、例えばポケット部を下方或いは右方に設け、暦表示部を上方或いは左方に設けてもよい。
【００４５】
上記第２〜第５実施形態におけるカレンダ１Ａ〜１Ｄにおいては、複数枚のポケット付きカレンダ２を互いに溶着させて一体化しているが、本発明に係るカレンダはかかる構成に限定されない。例えば、複数枚のポケット付きカレンダを、リング部材を介して捲り上げ可能に重ね合わせて構成しても良い。
【符号の説明】
【００４６】
１，１Ａ，１Ｂ，１Ｃ，１Ｄ，１Ｅ  カレンダ
２  ポケット付きカレンダ
４  暦表示部
４１，４２，４３，４４，４５，４５  暦部
５  ポケット部
６，１６１，１６２，１６３  樹脂シート
７,１７  ベースシート
８  ポケットシート
ＣＦ，ＣＦ３  クリアファイル
Ｆ  折曲線
ＩＤ  インデックス
Ｌ１，Ｌ２，Ｌ３，Ｌ４，Ｌ５，Ｌ６  切取線
【図１】
2014133354.tif 000003
【図２】
2014133354.tif 000004
【図３】
2014133354.tif 000005
【図４】
2014133354.tif 000006
【図５】
2014133354.tif 000007
【図６】
2014133354.tif 000008
【図７】
2014133354.tif 000009
【図８】
2014133354.tif 000010
【図９】
2014133354.tif 000011
【図１０】
2014133354.tif 000012
【図１１】
2014133354.tif 000013